(57)【特許請求の範囲】
【請求項１】
人工若しくは自然の干潟にあって、満潮時に水没し干潮時に露出する高さ位置に、満潮時に海水が充填される貯水部を設置し、該貯水部の少なくとも海側端部から該貯水部内の海水を、潮位の低下時に徐々に流下させるようにして該貯水部より海側の干潟地盤に給水させる干潟における干出抑制方法であって、
前記貯水部を中空の貯水タンクをもって構成し、該貯水タンクの頂面及び／又は側面上部には、海水注入孔を備えるとともに、前記貯水タンクの前壁の略下半分には、前記貯水タンク内部の海水が染み出る小径孔が多数形成され、前記貯水タンクを潮の干満における高水位と低水位との間に埋設することを特徴とする干潟における干出抑制方法。
【請求項２】
人工若しくは自然の干潟にあって、満潮時に水没し干潮時に露出する高さ位置に、満潮時に海水が充填される貯水部を備え、該貯水部の少なくとも海側端部から該貯水部内の海水を、潮位の低下時に徐々に流下させるようにして該貯水部より海側の干潟地盤に給水させる干潟における干出抑制方法であって、
前記干潟表面から干潟地盤中に遮水用連続地中壁を形成することにより、該地中壁より陸側を貯水部とし、該地中壁の上端部に海水染み出し部を備えてなることを特徴とした干潟における干出抑制方法。
【請求項３】
貯水部の端部壁に形成した小径孔を多数開けて海水染み出し部を構成させてなる請求項２に記載の干潟における干出抑制方法。
【発明の詳細な説明】
【０００１】
【発明の属する技術分野】
本発明は、主として人工干潟における生物生息場の面的拡大、及び現存する干潟の生物生息環境を改善する干潟における干出抑制方法に関する。
【０００２】
【従来の技術】
一般に、干潟はバクテリア等の付着による水質浄化や、水棲動物の繁殖場として有用であるため、人工干潟が造成されている。この種の従来の人工干潟は、山土等のシルト粘土含有率の高い材料を用いて砂浜を埋め立てたり、水深の浅い海底を埋め立てたりして造成がなされている。
【０００３】
また、干潟は潮の干満による潮位の変化によって生じる干出時間、満潮時の水深等によって生息生物が変化し、低潮位の時にも干潟の滞水が維持されなければ生息できる干潟生物の種類は大きく限定される
【０００４】
【発明が解決しようとする課題】
しかし、上述した従来の人工干潟では、その造成に用いられる材料の粒径が大きく、シルト粘土分以下の微粒子の含有率が低いことや、風波によってシルト粘土分が洗われる等して、自然の干潟と比較した場合の滞水能力が低く、図５に示すように、水面が満潮時の高潮位Ｈにあるときは水没するが、干潮時の低水位Ｌにあるときに大気中に露出する部分は、そこに生息する生物にとって大変厳しい環境となっており、自然の干潟に比べて有用性が低くなっているという問題があった。
【０００５】
本発明はこのような従来の問題に鑑み、人工干潟の造成や生物の生息性が低下した人工干潟において、滞水能力を改善することによって生息環境を改善し、生息可能面積を拡大することを目的としてなされたものである。
【０００６】
【課題を解決するための手段】
上述の如き従来の問題を解決し、所期の目的を達成するための請求項１に記載の発明の特徴は、人工若しくは自然の干潟にあって、満潮時に水没し干潮時に露出する高さ位置に、満潮時に海水が充填される貯水部を設置し、該貯水部の少なくとも海側端部から該貯水部内の海水を、潮位の低下時に徐々に流下させるようにして該貯水部より海側の干潟地盤に給水させる干潟における干出抑制方法であって、前記貯水部を中空の貯水タンクをもって構成し、該貯水タンクの頂面及び／又は側面上部には、海水注入孔を備えるとともに、前記貯水タンクの前壁の略下半分には、前記貯水タンク内部の海水が染み出る小径孔が多数形成され、前記貯水タンクを潮の干満における高水位と低水位との間に埋設することにある。
【０００７】
また、請求項２に記載の発明の特徴は、人工若しくは自然の干潟にあって、満潮時に水没し干潮時に露出する高さ位置に、満潮時に海水が充填される貯水部を備え、該貯水部の少なくとも海側端部から該貯水部内の海水を、潮位の低下時に徐々に流下させるようにして該貯水部より海側の干潟地盤に給水させる干潟における干出抑制方法であって、前記干潟表面から干潟地盤中に遮水用連続地中壁を形成することにより、該地中壁より陸側を貯水部とし、該地中壁の上端部に海水染み出し部を備えてなることにある。
【０００８】
さらに、請求項３に記載の発明の特徴は、貯水部の端部壁に形成した小径孔を多数開けて海水染み出し部を構成させてなることにある。
【０００９】
【発明の実施の形態】
次に本発明の実施の形態を図面について説明する。
【００１０】
図１、図２は本発明の第１実施例を示しており、図中１は干潟地盤を示している。尚、図は高さ方向に対して水平方向の寸法を縮小して表している。また、同図中、Ｈは潮の干満における高水位、Ｌは同低水位を示している。
【００１１】
この干潟地盤１の前記高水位Ｈ位置と低水位Ｌ位置との略中間高さ位置との間の上半部より梢上側に、箱状の貯水タンク２が埋設され、この貯水タンク２が貯水部を構成している。
【００１２】
貯水タンク２は、底盤３、該底盤３から立ち上げた前後壁４，５及び左右壁６，６及び天板７によって囲まれた中空の貯水部を有している。天板７の略全域及び前壁４の上部には海水注入孔８，８……が多数開口されている。この各海水注入孔８は、図には示してないが開口部に土砂が侵入しないよう濾材によって覆われている。
【００１３】
貯水タンク２の前壁４の略下半分には、内部の海水が染み出る程度の小孔９，９……を多数開口させた海水染み出し部１０が設けられている。
【００１４】
このようにして干潟地盤１内に貯水タンク２を埋設することにより、満潮時の高水位時にこの貯水タンク２が水面下に位置することとなるため、その上に盛られた土砂を透して海水が貯水タンク２内に溜められる。そして干潮に向かって水位が徐々に下がり、その水位より海水染み出し部１０が高くなると、貯水タンク２内に溜められた海水が少しずつ海側の干潟地盤中に染み出し、干潟地盤の湿潤状態が維持される。
【００１５】
図３は本発明の第２実施例を示している。この実施例は、干潟地盤１の表面から地中に向けて遮水用の連続地中壁１１を設置することによって、その地中壁１１より陸側を貯水部１２としている。地中壁１１の上端部には多数の小孔を開口させた海水染み出し部１３が設けられている。
【００１６】
この連続地中壁１１は、地表より矢板を打設したり、ゴム等の材料からなる遮水シートを埋設することによって設置する。
【００１７】
この例では、満潮時の高水位時に連続地中壁１１が水面下に位置することとなるため、該地中壁１１より陸側の土砂内に海水が浸透し、湿潤状態となる。そして干潮に向かって水位が徐々に下がり、地盤中の水位も順次低くなるが、地中壁１１の存在によって地盤中の水の流れが堰き止められ、それより陸側が貯水部となり、海面の水位が地中壁１１の上端より低くなっても地中水の流下が抑制され、海水染み出し部１３より貯水部１２の海水が少しずつ海側の干潟地盤中に染み出し、干潟地盤の湿潤状態が維持される。
【００１８】
【発明の効果】
上述のように、本発明に係る干潟における干出抑制方法においては、人工若しくは自然の干潟にあって、満潮時に水没し干潮時に露出する高さ位置に、満潮時に海水が充填される貯水部を備え、該貯水部の少なくとも海側端部から該貯水部内の海水を、潮位の低下時に徐々に流下させるようにして該貯水部より海側の干潟地盤に給水させるようにしたことにより、干潮時においても干潟が完全に干上がることがなくなり、干潟における水性生物の生息場所を広げることができ、また、従来の厳しい生息環境が改善され、生息生物の種類及び量を多くすることができる。
【００１９】
また、貯水部を干潟地盤中に埋設した中空の貯水タンクをもって構成し、該貯水タンクの頂面及び／又は側面上部に海水注入孔を備えるともに、貯水タンクの前壁の略下半分には、貯水タンク内部の海水が染み出る小径孔が多数形成されていることにより、多量の海水が貯留でき、干潮時において多くの海水が供給可能となり、干潟の土質条件が悪い場合でもより多くの干潟生物の生息が可能な状況を得ることができる。
【００２０】
また、干潟表面から干潟地盤中に遮水用連続地中壁を形成することにより、該地中壁より陸側を貯水部とし、該地中壁の上端部に海水染み出し部を備えることにより、干潟生物の生息条件が悪化した既存の人工干潟であっても容易に施工ができる。
【００２１】
更に、海水染み出し部は貯水部の端部壁に形成した小径孔を多数開けて海水染み出し部を構成させることにより、必要な染み出し量となるように成形できる。
【図面の簡単な説明】
【図１】本発明の１実施例を示す断面図である。
【図２】同上の貯留水タンクの正面図である。
【図３】本発明の他の実施例を示す断面図である。
【図４】同上の遮水用連続地中壁の正面図である。
【図５】従来の人工干潟を示す断面図である。
【符号の説明】
１ 干潟地盤
２ 貯水タンク
３ 底盤
４ 前壁
５ 後壁
６ 左壁
７ 右壁
８ 海水注入孔
９ 小孔
１０ 海水染み出し部
１１ 地中壁
１２ 貯水部
１３ 海水染み出し部
Ｈ 高潮位
Ｌ 低潮位
【図１】
0003991324.tif 000002
【図２】
0003991324.tif 000003
【図３】
0003991324.tif 000004
【図４】
0003991324.tif 000005
【図５】
0003991324.tif 000006